(57)【要約】【課題】１つのアンテナ連結部によって衛星及び地上波の外部アンテナを連結できるデジタルマルチメディア受信装置を提供する。【解決手段】デジタルマルチメディア放送受信装置は、衛星デジタルマルチメディア放送用アンテナと連結されており、デジタルマルチメディア放送受信用外部アンテナを連結するためのジャックを備え、ジャックにデジタルマルチメディア放送受信用外部アンテナが連結されれば、衛星デジタルマルチメディア放送用アンテナの受信路を遮断し、デジタルマルチメディア放送受信用外部アンテナからデジタルマルチメディア放送信号を受信するアンテナ連結部と、受信される放送信号が衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部とを含む。【選択図】図４
2006311535.tif 000002
【特許請求の範囲】
【請求項１】
衛星及び地上波のそれぞれのデジタルマルチメディア放送を受信するデジタルマルチメディア放送受信装置において、
衛星デジタルマルチメディア放送用アンテナと連結されており、デジタルマルチメディア放送受信用外部アンテナを連結するためのジャックを備え、前記ジャックにデジタルマルチメディア放送受信用外部アンテナが連結されれば、前記衛星デジタルマルチメディア放送用アンテナの受信路を遮断し、前記連結されているデジタルマルチメディア放送受信用外部アンテナからデジタルマルチメディア放送信号を受信するアンテナ連結部と、
前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部と、
を含むことを特徴とするデジタルマルチメディア放送受信装置。
【請求項２】
前記衛星デジタルマルチメディア放送用アンテナは、ダイバーシティ(ｄｉｖｅｒｓｉｔｙ)アンテナであることを特徴とする請求項１に記載のデジタルマルチメディア放送受信装置。
【請求項３】
前記デジタルマルチメディア放送受信用外部アンテナは、衛星デジタルマルチメディア放送用外部アンテナ、及び地上波デジタルマルチメディア放送用外部アンテナの何れか一つであることを特徴とする請求項１に記載のデジタルマルチメディア放送受信装置。
【請求項４】
前記地上波デジタルマルチメディア放送用外部アンテナは、車両用アンテナを含むことを特徴とする請求項３に記載のデジタルマルチメディア放送受信装置。
【請求項５】
前記スイッチング部は、前記アンテナ連結部によって受信された信号の周波数に応じて、前記信号を前記衛星デジタルマルチメディア放送モジュール部、及び地上波デジタルマルチメディア放送モジュール部の何れか一つに入力することを特徴とする請求項１に記載のデジタルマルチメディア放送受信装置。
【請求項６】
前記スイッチング部は、ダイプレクサ(ｄｉｐｌｅｘｅｒ)であることを特徴とする請求項１又は請求項５に記載のデジタルマルチメディア放送受信装置。
【請求項７】
前記デジタルマルチメディア放送受信装置が衛星放送用に設定されれば、前記スイッチング部は前記アンテナ連結部によって受信された放送信号を前記衛星デジタルマルチメディア放送モジュール部に入力することを特徴とする請求項１に記載のデジタルマルチメディア放送受信装置。
【請求項８】
前記デジタルマルチメディア放送受信装置が地上波放送用に設定されれば、前記スイッチング部は前記アンテナ連結部によって受信された放送信号を前記地上波デジタルマルチメディア放送モジュール部に入力することを特徴とする請求項１に記載のデジタルマルチメディア放送受信装置。
【請求項９】
衛星及び地上波のそれぞれのデジタルマルチメディア放送を受信するデジタルマルチメディア放送受信装置において、
地上波デジタルマルチメディア放送用アンテナ、及び衛星デジタルマルチメディア放送用アンテナを備えたＲＦスイッチング部と、
デジタルマルチメディア放送受信用外部アンテナを連結するためのジャックを備え、前記ジャックにデジタルマルチメディア放送受信用外部アンテナが連結されれば、前記ＲＦスイッチング部の受信路を遮断し、前記連結されているデジタルマルチメディア放送受信用外部アンテナから放送信号を受信するアンテナ連結部と、
前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部と、
を含むことを特徴とするデジタルマルチメディア放送受信装置。
【請求項１０】
前記地上波デジタルマルチメディア放送用アンテナは、内蔵アンテナであることを特徴とする請求項９に記載のデジタルマルチメディア放送受信装置。
【請求項１１】
前記衛星デジタルマルチメディア放送用アンテナは、ダイバーシティアンテナであることを特徴とする請求項９に記載のデジタルマルチメディア放送受信装置。
【請求項１２】
前記デジタルマルチメディア放送受信装置が衛星放送用に設定されれば、前記ＲＦスイッチング部は前記衛星デジタルマルチメディア放送用アンテナを介して受信された放送信号を前記アンテナ連結部に入力することを特徴とする請求項９に記載のデジタルマルチメディア放送受信装置。
【請求項１３】
前記デジタルマルチメディア放送受信装置が地上波放送用に設定されれば、前記ＲＦスイッチング部は前記地上波デジタルマルチメディア放送用アンテナを介して受信された放送信号を前記アンテナ連結部に入力することを特徴とする請求項９に記載のデジタルマルチメディア放送受信装置。
【請求項１４】
前記デジタルマルチメディア放送受信用外部アンテナは、衛星デジタルマルチメディア放送用外部アンテナ、及び地上波デジタルマルチメディア放送用外部アンテナの何れか一つであることを特徴とする請求項９に記載のデジタルマルチメディア放送受信装置。
【請求項１５】
前記地上波デジタルマルチメディア放送用外部アンテナは、車両用アンテナを含むことを特徴とする請求項１４に記載のデジタルマルチメディア放送受信装置。
【請求項１６】
前記スイッチング部は、前記アンテナ連結部によって受信された信号の周波数に応じて、前記信号を前記衛星デジタルマルチメディア放送モジュール部、及び地上波デジタルマルチメディア放送モジュール部の何れか一つに入力することを特徴とする請求項９に記載のデジタルマルチメディア放送受信装置。
【請求項１７】
前記スイッチング部は、ダイプレクサであることを特徴とする請求項９又は請求項１６に記載のデジタルマルチメディア放送受信装置。
【請求項１８】
前記デジタルマルチメディア放送受信装置が衛星放送用に設定されれば、前記スイッチング部は前記アンテナ連結部によって受信された放送信号を前記衛星デジタルマルチメディア放送モジュール部に入力することを特徴とする請求項９に記載のデジタルマルチメディア放送受信装置。
【請求項１９】
前記デジタルマルチメディア放送受信装置が地上波放送用に設定されれば、前記スイッチング部は前記アンテナ連結部によって受信された放送信号を前記地上波デジタルマルチメディア放送モジュール部に入力することを特徴とする請求項９に記載のデジタルマルチメディア放送受信装置。
【請求項２０】
デジタルマルチメディア放送を受信するデジタルマルチメディア放送受信装置において、
デジタルマルチメディア放送受信用内蔵アンテナと連結されており、デジタルマルチメディア放送受信用外部アンテナを連結するためのジャックを備え、前記ジャックにデジタルマルチメディア放送受信用外部アンテナが連結されれば、前記デジタルマルチメディア放送受信用内蔵アンテナの受信を遮断し、前記連結されているデジタルマルチメディア放送受信用外部アンテナからデジタルマルチメディア放送信号を受信するアンテナ連結部と、
前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部と、
を含むことを特徴とするデジタルマルチメディア放送受信装置。
【発明の詳細な説明】
【技術分野】
【０００１】
本発明はデジタルマルチメディア放送に関し、特に、多様なデジタルマルチメディア放送受信用外部アンテナを連結できるデジタルマルチメディア放送受信装置に関する。
【背景技術】
【０００２】
デジタルマルチメディア放送は衛星と地上波とに分けられるが、このような衛星及び地上波のデジタルマルチメディア放送を受信する装置の構成を、図１及び図２のブロック図を参照して詳細に説明する。
【０００３】
図１は、従来の地上波デジタルマルチメディア放送受信装置の構成を示すブロック図である。
【０００４】
図１の地上波デジタルマルチメディア放送受信装置は、アンテナ連結部１０によって外部アンテナが連結されたり、内部に内蔵アンテナが具備されたりする。外部アンテナ又は内蔵アンテナを介して受信されるデジタルマルチメディア放送信号は、ＲＦ受信部２０によって地上波デジタルマルチメディア放送モジュール部３０に入力される。アンテナ連結部１０は、ＲＦ(Ｒａｄｉｏ  Ｆｒｅｑｕｅｎｃｙ)テストを行うためのケーブルを連結する用途にも使用される。
【０００５】
図２は、従来の衛星デジタルマルチメディア放送受信機能と携帯電話機能を備えた共用携帯端末機の構成を示すブロック図である。
【０００６】
衛星デジタルマルチメディア放送の場合、経路上の建物や地形等からの反射波により多重経路現象が発生して、デジタルマルチメディア放送信号の振幅が変動するフェーディング状態になる。このようなフェーディングによる転送品質の低下を防止するために、ダイバーシーティ(ｄｉｖｅｒｓｉｔｙ)方式のアンテナが利用される。このために、図２の携帯端末機は、デジタルマルチメディア放送信号のみを受信するためのダイバーシティアンテナ１００と、デジタルマルチメディア放送信号及び携帯電話に係る信号を受信するための共用アンテナ１１０と、すなわち、このように２つのアンテナを備える。
【０００７】
ダイバーシティアンテナ１００はアンテナ連結部１０１と連結されているが、アンテナ連結部１０１はその外にも外部アンテナを連結するためのジャックを備える。アンテナ連結部１０１は外部アンテナがジャックによって連結されれば、ダイバーシティアンテナ１００の受信路を遮断し、連結されている外部アンテナを介して受信されるデジタルマルチメディア放送信号がＲＦ受信部Ａ(１０２)によって衛星デジタルマルチメディア放送モジュール部１０３に入力される。また、アンテナ連結部１０１に外部アンテナが連結されなければ、アンテナ連結部１０１はダイバーシティアンテナ１００を介して受信されるデジタルマルチメディア放送信号がＲＦ受信部Ａ(１０２)によって衛星デジタルマルチメディア放送モジュール部１０３に入力される。アンテナ連結部１０１も、図１のアンテナ連結部１０と同様に、ＲＦテストを行うためのケーブルを連結する用途にも使用される。
【０００８】
共用アンテナ１１０はＲＦスイッチング部１１１に連結されているが、デジタルマルチメディア放送信号又は携帯電話に係る信号を受信すれば、ＲＦスイッチング部１１１を経てダイプレクサ(Ｄｉｐｌｅｘｅｒ)１１２に受信された信号を出力する。ダイプレクサ１１２は受信された信号の周波数に応じて信号の形態を判別し、判別の結果、受信された信号が、デジタルマルチメディア放送信号であれば、これをＲＦ受信部Ｂ(１１３)によって衛星デジタルマルチメディア放送モジュール部１０３に入力し、携帯電話に係る信号であれば、これを携帯電話ＲＦ受信部１１４に入力する。
【０００９】
図１及び図２によれば、地上波及び衛星のデジタルマルチメディア放送受信装置は、外部アンテナ及びＲＦテストのためのアンテナ連結部を各々一つずつ備えなければならない。よって、このような地上波及び衛星のデジタルマルチメディア放送受信装置の構造を各々使用して共用携帯端末機に適用すれば、２つのアンテナ連結部が必要になる。従って、携帯端末機を開発したりデザインする際に、空間的な制約を与えるという問題点がある。
【発明の開示】
【発明が解決しようとする課題】
【００１０】
よって、本発明の目的は、１つのアンテナ連結部によって衛星及び地上波の外部アンテナを連結できるデジタルマルチメディア受信装置を提供することにある。
【課題を解決するための手段】
【００１１】
前記目的を達成するために、本発明の衛星及び地上波のそれぞれのデジタルマルチメディア放送を受信するデジタルマルチメディア放送受信装置は、衛星デジタルマルチメディア放送用アンテナと連結されており、デジタルマルチメディア放送受信用外部アンテナを連結するためのジャックを備え、前記ジャックにデジタルマルチメディア放送受信用外部アンテナが連結されれば、前記衛星デジタルマルチメディア放送用アンテナの受信路を遮断し、前記連結されているデジタルマルチメディア放送受信用外部アンテナからデジタルマルチメディア放送信号を受信するアンテナ連結部と、前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部とを含むことを特徴とする。
【００１２】
また、衛星及び地上波のそれぞれのデジタルマルチメディア放送を受信するデジタルマルチメディア放送受信装置は、地上波デジタルマルチメディア放送用アンテナ、及び衛星デジタルマルチメディア放送用アンテナを備えたＲＦスイッチング部と、デジタルマルチメディア放送受信用外部アンテナを連結するためのジャックを備え、前記ジャックにデジタルマルチメディア放送受信用外部アンテナが連結されれば、前記ＲＦスイッチング部の受信路を遮断し、前記連結されているデジタルマルチメディア放送受信用外部アンテナから放送信号を受信するアンテナ連結部と、前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部とを含むことを特徴とする。
【００１３】
さらにまた、デジタルマルチメディア放送を受信するデジタルマルチメディア放送受装置は、デジタルマルチメディア放送受信用内蔵アンテナと連結されており、デジタルマルチメディア放送受信用外部アンテナを連結するためのジャックを備え、前記ジャックにデジタルマルチメディア放送受信用外部アンテナが連結されれば、前記デジタルマルチメディア放送受信用内蔵アンテナの受信を遮断し、前記連結されているデジタルマルチメディア放送受信用外部アンテナからデジタルマルチメディア放送信号を受信するアンテナ連結部と、前記アンテナ連結部によって受信される放送信号が、衛星デジタルマルチメディア放送信号であれば、これを衛星デジタルマルチメディア放送モジュール部に入力し、地上波デジタルマルチメディア放送信号であれば、これを地上波デジタルマルチメディア放送モジュール部に入力するスイッチング部とを含むことを特徴とする。
【発明の効果】
【００１４】
本発明によれば、衛星及び地上波のデジタルマルチメディア放送用外部アンテナを連結する、且つ、ＲＦテストのためのケーブルを連結するアンテナ連結部を共用化することで、携帯端末機のスペース効率を向上させた。
【００１５】
また、ユーザーは衛星及び地上波のデジタルマルチメディア放送を視聴するために利用される多様な外部アンテナを、区分することなく一つのアンテナ連結部によって連結することで、使用上の便宜を図る。
【発明を実施するための最良の形態】
【００１６】
以下、添付図面に基づき、本発明の好適な実施形態を詳細に説明する。また、本発明の説明において、本発明に関連した公知機能や構成についての具体的な説明が、本発明の要旨を不明瞭にすると判断される場合には、その詳細な説明を省略する。
【００１７】
本発明の実施形態による衛星及び地上波のデジタルマルチメディア放送を同時に提供できるデジタルマルチメディア放送受信装置は、衛星デジタルマルチメディア放送のためにダイバーシティアンテナを利用する。後述する図３及び図４では衛星デジタルマルチメディア放送のためのダイバーシティアンテナを１つのみを示し、示さない残りのアンテナは図２の共用アンテナ１１０と同様の構造からなることを予め言及する。
【００１８】
図３は本発明の第１実施形態によるデジタルマルチメディア放送受信装置の構成を示すブロック図である。
【００１９】
図３によれば、衛星デジタルマルチメディア放送のためのダイバーシティアンテナ２００はアンテナ連結部２１０と連結されており、アンテナ連結部２１０はその外にも外部アンテナを連結するためのジャックを備える。ジャックに連結可能な外部アンテナには、衛星デジタルマルチメディア放送用外部アンテナ、地上波デジタルマルチメディア放送用外部アンテナ、或いは地上波デジタルマルチメディア放送用車両用アンテナなどがある。すなわち、図３のデジタルマルチメディア放送受信装置は、地上波デジタルマルチメディア放送信号を受信するために外部アンテナを利用する構造である。
【００２０】
アンテナ連結部２１０は、前述した種類の外部アンテナがジャックによって連結されれば、ダイバーシティアンテナ２００の受信路を遮断し、連結されている外部アンテナを介して受信されるデジタルマルチメディア放送信号をスイッチング部２２０に入力する。アンテナ連結部２１０は、ＲＦテストを行うためのケーブルを連結する用途にも使用される。
【００２１】
スイッチング部２２０は、入力された信号が、衛星デジタルマルチメディア放送信号であれば、これをＲＦ受信部Ａ(２３０)によって衛星デジタルマルチメディア放送モジュール部２４０に出力し、地上波デジタルマルチメディア放送信号であれば、これをＲＦ受信部Ｃ(２５０)によって地上波デジタルマルチメディア放送モジュール部２６０に入力する。スイッチング部２２０は、受信された信号の周波数に応じて信号の形態を判別するダイプレクサとして具現できる。一方、スイッチング部２２０は、デジタルマルチメディア放送受信装置がユーザーにより衛星又は地上波のデジタルマルチメディア放送用に設定されることで、アンテナ連結部２１０から入力される放送信号をＲＦ受信部Ａ(２３０)又はＲＦ受信部Ｃ(２５０)に入力する。
【００２２】
例えば、スイッチング部２２０は、デジタルマルチメディア放送受信装置が、衛星デジタルマルチメディア放送用に設定されれば、アンテナ連結部２１０から入力される信号をＲＦ受信部Ａ(２３０)によって衛星デジタルマルチメディア放送モジュール部２４０に入力し、地上波デジタルマルチメディア放送用に設定されれば、アンテナ連結部２１０から入力される信号をＲＦ受信部Ｃ(２５０)によって地上波デジタルマルチメディア放送モジュール部２６０に入力する。
【００２３】
図４は本発明の第２実施形態によるデジタルマルチメディア放送受信装置の構成を示すブロック図である。
【００２４】
図４によれば、衛星デジタルマルチメディア放送のためのダイバーシティアンテナ３００と、地上波デジタルマルチメディア放送のための内蔵アンテナ３０１とが、ＲＦスイッチング部３１０に連結されている。ＲＦスイッチング部３１０は、デジタルマルチメディア放送受信装置がユーザーにより衛星又は地上波のデジタルマルチメディア放送用に設定されることで、ダイバーシティアンテナ３００又は内蔵アンテナ３０１を介して受信される衛星又は地上波のデジタルマルチメディア放送信号をアンテナ連結部３２０に入力する。
【００２５】
例えば、デジタルマルチメディア放送受信装置が、衛星デジタルマルチメディア放送用に設定されれば、ＲＦスイッチング部３１０は内蔵アンテナ３０１の受信路を遮断する。すなわち、ＲＦスイッチング部３１０は、地上波デジタルマルチメディア放送信号は通過させず、ダイバーシティアンテナ３００を介して受信される衛星デジタルマルチメディア放送信号のみをアンテナ連結部３２０に入力する。一方、デジタルマルチメディア放送受信装置が、地上波デジタルマルチメディア放送用に設定されれば、ＲＦスイッチング部３１０はダイバーシティアンテナ３００の受信路を遮断する。すなわち、ＲＦスイッチング部３１０は、衛星デジタルマルチメディア放送信号は通過させず、内蔵アンテナ３０１を介して受信される地上波デジタルマルチメディア放送信号のみをアンテナ連結部３２０に入力する。
【００２６】
ＲＦスイッチング部３１０から衛星又は地上波のデジタルマルチメディア放送信号を入力されるアンテナ連結部３２０は、外部アンテナを連結するためのジャックを備える。ジャックに連結可能な外部アンテナには、衛星デジタルマルチメディア放送用外部アンテナ、地上波デジタルマルチメディア放送用外部アンテナ、又は地上波デジタルマルチメディア放送用車両用アンテナなどがある。
【００２７】
アンテナ連結部３２０は、前述した種類の外部アンテナがジャックによって連結されれば、ＲＦスイッチング部３１０の受信路を遮断し、連結されている外部アンテナを介して受信されるデジタルマルチメディア放送信号をスイッチング部３３０に入力する。アンテナ連結部３２０はＲＦテストを行うためのケーブルを連結する用途にも使用される。
【００２８】
スイッチング部３３０は、入力された信号が、衛星デジタルマルチメディア放送信号であれば、これをＲＦ受信部Ａ(３４０)によって衛星デジタルマルチメディア放送モジュール部３５０に入力し、地上波デジタルマルチメディア放送信号であれば、これをＲＦ受信部Ｃ(３６０)によって地上波デジタルマルチメディア放送モジュール部３７０に入力する。スイッチング部３３０は、受信された信号の周波数に応じて信号の形態を判別できるダイプレクサとして具現できる。或いは、スイッチング部３３０は、デジタルマルチメディア放送受信装置がユーザーにより衛星又は地上波のデジタルマルチメディア放送用に設定されることで、アンテナ連結部３２０から入力される放送信号をＲＦ受信部Ａ(３４０)又はＲＦ受信部Ｃ(３６０)に出力する。
【００２９】
例えば、スイッチング部３３０は、デジタルマルチメディア放送受信装置が、衛星デジタルマルチメディア放送用に設定されれば、アンテナ連結部３２０から入力される放送信号をＲＦ受信部Ａ(３４０)によって衛星デジタルマルチメディア放送モジュール部３５０に出力し、地上波デジタルマルチメディア放送用に設定されれば、アンテナ連結部３２０から入力される放送信号をＲＦ受信部Ｃ(３６０)によって地上波デジタルマルチメディア放送モジュール部３７０に出力する。
【００３０】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３１】
【図１】従来の地上波デジタルマルチメディア放送受信装置の構成を示すブロック図である。
【図２】従来の衛星デジタルマルチメディア放送受信機能と携帯電話機能を備えた共用携帯端末機の構成を示すブロック図である。
【図３】本発明の第１実施形態によるデジタルマルチメディア放送受信装置の構成を示すブロック図である。
【図４】本発明の第２実施形態によるデジタルマルチメディア放送受信装置の構成を示すブロック図である。
【符号の説明】
【００３２】
１１０  共用アンテナ
２００  ダイバーシティアンテナ
２１０  アンテナ連結部
２２０  スイッチング部
２３０  ＲＦ受信部Ａ
２４０  衛星デジタルマルチメディア放送モジュール部
２５０  ＲＦ受信部Ｃ
２６０  地上波デジタルマルチメディア放送モジュール部
３００  ダイバーシティアンテナ
３０１  内蔵アンテナ
３１０  ＲＦスイッチング部
３２０  アンテナ連結部
３３０  スイッチング部
３４０  ＲＦ受信部Ａ
３５０  衛星デジタルマルチメディア放送モジュール部
３６０  ＲＦ受信部Ｃ
３７０  地上波デジタルマルチメディア放送モジュール部
【図１】
2006311535.tif 000003
【図２】
2006311535.tif 000004
【図３】
2006311535.tif 000005
【図４】
2006311535.tif 000006